(57)【要約】【課題】被保険者に対し、健康管理の意識を向上させることができるインセンティブ付与還元システムを提供する。【解決手段】インセンティブ付与還元システム５００は、健康保険組合に加入するユーザのユーザ端末１００と、健康保険組合の保健事業を受託して、保健事業に関するサイトを管理する受託サーバ２００と、受託サーバ２００に広告を掲載する広告主サーバ３００とを備える。ユーザ端末１００は、閲覧要求を送出する閲覧要求送出部１１１と、閲覧要求の許可を受け付ける許可受付部１１３と、サイトを表示するディスプレイ１４０と、を備える。受託サーバ２００は、サイトの閲覧要求を受け付ける閲覧受付部２１１と、ポイントを付与するポイント付与部２１３と、ＩＤごとに合計ポイントを算出する合計ポイント算出部２１５と、ＩＤごとの合計ポイントをそのユーザ端末１００に表示させる表示制御部２１７とを、を備える。【選択図】  図２
2019066945.tif 000002
【特許請求の範囲】
【請求項１】
健康保険組合に加入するユーザのユーザ端末と、前記健康保険組合の保健事業を受託して、前記保健事業に関するサイトを管理する受託サーバと、前記受託サーバに広告を掲載する広告主サーバとを備えるインセンティブ付与還元システムであって、
前記ユーザ端末は、
ネットワークを介して、前記受託サーバの前記保健事業に関するサイトに、閲覧要求を送出する閲覧要求送出部と、
前記ネットワークを介して、前記受託サーバの前記保健事業に関するサイトから、前記閲覧要求の許可を受け付ける許可受付部と、
許可された前記保健事業に関するサイトを表示するディスプレイと、を備え、
前記受託サーバは、
前記ネットワークを介して前記ユーザ端末から、前記保健事業に関するサイトの閲覧要求を受け付ける閲覧受付部と、
前記ユーザ端末により前記保健事業に関するサイトが閲覧され、当該サイトを利用したユーザに関連付けられたユーザ識別情報にポイントを付与するポイント付与部と、
付与された前記ポイントに基づいて、前記ユーザ識別情報ごとに合計ポイントを算出する合計ポイント算出部と、
前記ユーザ識別情報ごとの合計ポイントを、当該ユーザ端末に表示させる表示制御部と、
を備えることを特徴とするインセンティブ付与還元システム。
【請求項２】
前記表示制御部は、
前記保健事業の事業費に対し、前記広告による収入の一部が割り当てられる旨を、前記ユーザ端末に表示する
ことを特徴とする請求項１に記載のインセンティブ付与還元システム。
【請求項３】
前記表示制御部は、
前記広告による収入の一部により、前記受託サーバの企業への委託料が減額される旨を、前記ユーザ端末に表示する
ことを特徴とする請求項１又は２に記載のインセンティブ付与還元システム。
【請求項４】
前記合計ポイント算出部は、
複数の前記ユーザ識別情報の合計ポイントに基づいて、前記ユーザ識別情報の平均合計ポイントを算出し、
前記表示制御部は、
前記ユーザ識別情報ごとの合計ポイントと、前記平均合計ポイントとを対比して、視覚可能に前記ユーザ端末に表示する
ことを特徴とする請求項１乃至３の何れかに記載のインセンティブ付与還元システム。
【請求項５】
前記ポイント付与部は、
前記保健事業の受診情報に、前記ポイントを付与する
ことを特徴とする請求項１乃至４の何れかに記載のインセンティブ付与還元システム。
【請求項６】
前記ポイント付与部は、
歩数に関する情報、又は禁煙に関する情報に、前記ポイントを付与する
ことを特徴とする請求項１乃至５の何れかに記載のインセンティブ付与還元システム。
【請求項７】
前記広告は、
ユーザの健康状態を改善させる内容の広告であって、前記ユーザ識別情報ごとの合計ポイントを適用可能な旨の表示を行う
ことを特徴とする請求項１乃至６の何れかに記載のインセンティブ付与還元システム。
【請求項８】
前記受託サーバは、
複数の前記健康保険組合の保険事業に関するサイトを管理し、
前記ポイント付与部は、
前記健康保険組合ごとに、異なる還元率をポイントとして付与する
ことを特徴とする請求項１乃至７の何れかに記載のインセンティブ付与還元システム。
【請求項９】
前記ポイント付与部は、
特定の広告が選択されるか、又は、特定の保健事業に関するサイトが閲覧されることにより、付与するポイントの比率、又は選択可能な商品を変更する
ことを特徴とする請求項１乃至８の何れかに記載のインセンティブ付与還元システム。
【発明の詳細な説明】
【技術分野】
【０００１】
本発明は、インセンティブ付与還元システムに関する。
【背景技術】
【０００２】
近年、多くの健康保険組合では、被保険者に対して様々な健康増進活動が、提案・検討されている。健康保険組合は、健康増進活動を行うに当たり、被保険者に対し、健康意識を向上させる必要がある。被保険者の健康意識が向上することにより、日々の健康状態が維持されて、健康増進活動が活性化される。
【０００３】
ここで、健康保険組合によっては、健康意識の向上と健康増進活動の活性化の観点から、様々な健康活動にインセンティブポイントを付与し、被保険者に還元する取り組み（所謂、インセンティブ付与）がなされている。この取り組みでは、被保険者が健康活動を行うことによりポイントが付与され、被保険者はこのポイントを貯めることができる。そして、被保険者は、貯まったポイントを健康関連グッズや健康管理サービスなどに交換することができる。
【０００４】
ここで、会員にインセンティブを決定する手段を備えたインセンティブ用システムが、特許文献１に開示されている。特許文献１に記載されたインセンティブ用システムでは、このインセンティブに関する情報と、事務局起源のインセンティブ用原資となる広告収入のための広告情報を、ウエブサイトにて表示するようになっている（特許文献１参照）。
【先行技術文献】
【特許文献】
【０００５】
【特許文献１】特開２００１−２９０９３５号公報
【発明の概要】
【発明が解決しようとする課題】
【０００６】
健康保険組合が取り組む主な目的は、被保険者に対し、健康意識の向上や健康増進活動の活性化である。そのため、被保険者が、楽しくかつ長く続けられる仕組みが必要である。さらに、健康保険組合は、多くの被保険者が容易に参加でき、積極的に自己の健康状態に興味を持ってもらう必要性がある。
【０００７】
しかしながら、健康意識や健康増進活動は、通常は、個人それぞれの意識や活動であり、長期的に継続することが難しく、また、日常生活において各個人の認識が薄れてしまうことも想定される。そのため、健康保険組合は、被保険者に対し、健康管理の意識を高めてもらうことが難しかった。
【０００８】
本発明の目的は、被保険者に対し、健康管理の意識を向上させることができるインセンティブ付与還元システムを提供することにある。
【課題を解決するための手段】
【０００９】
本発明に係るインセンティブ付与還元システムは、健康保険組合に加入するユーザのユーザ端末と、前記健康保険組合の保健事業を受託して、前記保健事業に関するサイトを管理する受託サーバと、前記受託サーバに広告を掲載する広告主サーバとを備えるインセンティブ付与還元システムであって、前記ユーザ端末は、ネットワークを介して、前記受託サーバの前記保健事業に関するサイトに、閲覧要求を送出する閲覧要求送出部と、前記ネットワークを介して、前記受託サーバの前記保健事業に関するサイトから、前記閲覧要求の許可を受け付ける許可受付部と、許可された前記保健事業に関するサイトを表示するディスプレイと、を備え、前記受託サーバは、前記ネットワークを介して前記ユーザ端末から、前記保健事業に関するサイトの閲覧要求を受け付ける閲覧受付部と、前記ユーザ端末により前記保健事業に関するサイトが閲覧され、当該サイトを利用したユーザに関連付けられたユーザ識別情報にポイントを付与するポイント付与部と、付与された前記ポイントに基づいて、前記ユーザ識別情報ごとに合計ポイントを算出する合計ポイント算出部と、前記ユーザ識別情報ごとの合計ポイントを、当該ユーザ端末に表示させる表示制御部と、を備えることを特徴とする。
【発明の効果】
【００１０】
本発明によれば、インセンティブ付与還元システムは、被保険者に対し、健康管理の意識を向上させることができる。
【図面の簡単な説明】
【００１１】
【図１】本発明の実施形態に係るインセンティブ付与還元システムの概略の構成を示した説明図である。
【図２】本発明の実施形態に係るインセンティブ付与還元システムにおいて、健康保険組合員がユーザ端末を操作し、受託サーバの健康保険組合のサイトを閲覧し、受託サーバから、ユーザ端末に広告収入や委託料の値引きで還元されるまでの概略動作を示したシーケンス図である。
【図３】本発明の実施形態に係るユーザ端末の構成を示したものであり、（ａ）では、ハードウエア構成を示し、（ｂ）では、処理回路の機能ブロック図を示したものである。
【図４】本発明の実施形態に係る受託サーバの構成を示したものであり、（ａ）では、ハードウエア構成を示し、（ｂ）では、処理回路の機能ブロック図を示したものである。
【図５】本発明の実施形態に係る受託サーバが、ユーザ端末を有する健康保険組合員に、ポイントを付与する項目を示したポイント対象項目を示したものである。
【図６】本発明の実施形態に係る受託サーバが、健康保険組合員がウォーキングキャンペーンに参加したことにより、健康保険組合員に関連づけられたＩＤにポイントを付与し、広告による収入の一部が割り当てられる旨を、ユーザ端末に表示する処理を示したフローチャートである。
【図７】本発明の実施形態のユーザ端末が、ネットワークを介して受託サーバにデータを入力し、ユーザ端末の健康保険組合員に健康保険組合からポイントが付与されることを示した説明図である。
【図８】本発明の実施形態の受託サーバの処理回路の表示制御部が、ユーザ端末のディスプレイに、商品の交換を選択する画面を示すとともに、保健事業の表示と、広告の表示と、広告による収入の一部が割り当てられる旨の表示が、ユーザ端末のディスプレイに表示している表示画面例である。
【発明を実施するための形態】
【００１２】
以下、本発明の実施形態について、図面を用いて説明する。図１は、本発明の実施形態に係るインセンティブ付与還元システム５００の概略の構成を示した説明図である。図１に示すように、インセンティブ付与還元システム５００は、ユーザ端末１００と、受託サーバ２００と、広告主サーバ３００と、ネットワーク４００と、を備えている。
【００１３】
ユーザ端末１００は、健康保険組合に加入している健康保険組合員が所有し、操作する情報処理端末である。ユーザ端末１００は、健康保険組合員が操作することにより、ネットワーク４００を介して、受託サーバ２００に接続される。ユーザ端末１００は、健康保険組合において複数設けられており、ユーザ端末１００、ユーザ端末１０１・・・ユーザ端末１０ｎのうち、特定する必要がない場合には、ユーザ端末１００を用いて説明する。
【００１４】
広告主サーバ３００は、ネットワーク４００を介して受託サーバ２００が管理するＷｅｂサイト（以下、単にサイトともいう）に、広告を掲載するサーバである。広告主サーバ３００は、企業ごとに複数設けられており、広告主サーバ３００、広告主サーバ３０１・・・広告主サーバ３０ｎのうち、特定する必要がない場合には、広告主サーバ３００を用いて説明する。
【００１５】
受託サーバ２００は、健康保険組合の保健事業を受託して、健康保険組合の保健事業に関するサイトを管理するサーバである。受託サーバ２００は、健康保険組合のサイトに、受託サーバ２００が提供する保険事業を表示するとともに、ネットワーク４００を介して広告主サーバ３００から、広告主サーバ３００の企業の広告を掲載する。
【００１６】
ネットワーク４００は、接続されている各装置を相互に接続する機能を有している。例えば、ユーザ端末１００は、ネットワーク４００を介して受託サーバ２００に接続され、受託サーバ２００に掲載された健康保険組合のサイトを閲覧することができる。また、広告主サーバ３００は、ネットワーク４００を介して受託サーバ２００に接続され、広告を掲載することができる。
【００１７】
次に、本発明の実施形態に係るインセンティブ付与還元システム５００の全体の概略動作について説明する。図２は、本発明の実施形態に係るインセンティブ付与還元システム５００において、健康保険組合員がユーザ端末１００を操作し、受託サーバ２００の健康保険組合のサイトを閲覧し、受託サーバ２００から、ユーザ端末１００に広告収入や委託料の値引きで還元されるまでの概略動作を示したシーケンス図である。
【００１８】
まず、健康保険組合員は、ユーザ端末１００を操作し、ネットワーク４００を介して受託サーバ２００に接続する。そして、健康保険組合員は、予め健康保険組合から提供された、健康保険組合員を特定するＩＤ（user Identification：ユーザ識別情報）とＰＷ（PassWord：パスワード）を用いて、健康保険組合のサイトにログインする（シーケンスＳＴ００１）。
【００１９】
例えば、健康保険組合では、健康保険組合に加入して健康保険組合員となることにより、自動的に入会ポイントが付与されるようになっており、既に３０００ポイント付与されている。そのため、健康保険組合員がユーザ端末１００によりログインしたサイトで、保有ポイントとして３０００ポイントが表示される（シーケンスＳＴ００３）。
【００２０】
広告主サーバ３００は、ネットワーク４００を介して受託サーバ２００にサイトバナーと呼ばれる広告を掲載する（シーケンスＳＴ００５）。
【００２１】
ユーザ端末１００は、健康保険組合員の操作により、受託サーバ２００が提供する健康保険組合のサイトを閲覧する（シーケンスＳＴ００７）。本発明の実施形態では、ユーザ端末１００は、ネットワーク４００を介して受託サーバ２００に、データを入力することができる（シーケンスＳＴ００９）。ここでは、後述する「ウォーキングキャンペーン」の歩数が入力され、受託サーバ２００は、健康保険組合員ごとの１日当たりの平均歩数などを算出する。
【００２２】
ユーザ端末１００は、例えば、受託サーバ２００が提供する健康保険組合の「ウォーキングキャンペーン」に参加して、歩数を入力することにより、健康保険組合からポイントが付与される（シーケンスＳＴ０１１）。
【００２３】
受託サーバ２００は、広告主サーバ３００からの広告収入があるため、その広告収入の一部を一定割合に応じたポイントとして、ユーザ端末１００の健康保険組合に還元する（シーケンスＳＴ０１３）。また、受託サーバ２００は、ユーザ端末１００から委託されている保健事業に関し、広告収入の一部を還元し、委託料を割り引くこともできる（シーケンスＳＴ０１５）。
【００２４】
このように、本発明の実施形態では、健康保険組合の保健事業を受託する受託サーバ２００は、広告主サーバ３００から広告収入を得ることにより、その広告収入の一部を健康保険組合の保険事業費に充当し、複数のユーザ端末１００を備える健康保険組合に還元することができる。
【００２５】
さらに、健康保険組合員の健康管理の意識を向上させるため、本発明の実施形態では、インセンティブ付与還元システム５００においてユーザ端末１００に、保健事業の事業費に対し、広告による収入の一部が割り当てられる旨を、表示することができる。
【００２６】
これにより、本発明の実施形態に係るインセンティブ付与還元システム５００は、健康保健組合員に対し、健康意識を向上させることができる。
【００２７】
次に、本発明の実施形態に係るユーザ端末１００の詳細な構成について説明する。図３は、本発明の実施形態に係るユーザ端末１００の構成を示したものであり、図３（ａ）では、ハードウエア構成を示し、図３（ｂ）では、処理回路１１０の機能ブロック図を示したものである。
【００２８】
図３（ａ）に示すように、ユーザ端末１００は、処理回路１１０、記憶回路１２０、入力回路１３０、ディスプレイ１４０、通信制御部１５０、及び内部バス１６０を備えている。
【００２９】
記憶回路１２０は、ＲＯＭ（Read Only Memory）、ＲＡＭ（Random Access Memory）及びＨＤＤ（Hard Disk Drive）等を含む記憶装置により構成されている。記憶回路１２０は、ＩＰＬ（Initial Program Loading）、ＢＩＯＳ（Basic Input／Output System）及びデータを記憶したり、処理回路１１０のワークメモリとして使用されたり、又は、データを一時的に記憶する場合に用いられる。ＨＤＤは、ユーザ端末１００にインストールされたプログラム（アプリケーションプログラムの他、ＯＳ（Operating System）等も含まれる）やデータを記憶する記憶装置である。また、健康保険組合員に対するディスプレイ１４０への情報の表示にグラフィックを多用し、基礎的な操作を入力回路１３０によって行なうことができるＧＵＩ（Graphical User Interface）を、ＯＳに提供することもできる。
【００３０】
処理回路１１０は、プログラムをメモリ（記憶回路１２０）から読み出し、実行することにより、プログラムに対応する機能を実現するプロセッサである。具体的には、処理回路１１０（プロセッサ）は、読み出したプログラムを実行することによって、図３（ｂ）に示す、閲覧要求送出部１１１及び許可受付部１１３を実現する。
【００３１】
処理回路１１０の閲覧要求送出部１１１は、ネットワーク４００を介して、受託サーバ２００の保健事業に関するサイトに、閲覧要求を送出する。処理回路１１０の許可受付部１１３は、ネットワーク４００を介して、受託サーバ２００の保健事業に関するサイトから、閲覧要求の許可を受け付ける。
【００３２】
なお、閲覧要求送出部１１１は、後述する通信制御部１５０と連携し、ログインするためのＩＤやパスワードを送信する。
【００３３】
入力回路１３０は、オペレータによって操作が可能なポインティングデバイス（マウスなど）やキーボードなどの入力デバイスからの信号を入力する回路であり、ここでは入力デバイス自体も入力回路１３０に含まれるものとする。この場合、操作に従った入力信号が、入力回路１３０から処理回路１１０に送られる。
【００３４】
ディスプレイ１４０は、液晶ディスプレイやＣＲＴ（Cathode Ray Tube）等によって構成される。ディスプレイ１４０は、受託サーバ２００が管理する保健事業に関するサイトの閲覧内容を表示する。
【００３５】
通信制御部１５０は、通信規格に応じた通信制御を行ない、例えば、ＩＥＥＥ８０２．１１シリーズに準拠した無線ＬＡＮ（Local Area Network）、近距離無線通信又は電話回線等を通じて、ユーザ端末１００を、ネットワーク４００に接続する機能を有している。また、例えば、ＲＳ−２３２ＣやＲＳ−４２２Ａなどの通信規格や、ＵＳＢ（Universal Serial Bus）などの標準化された通信プロトコルも用いることができ、本発明の実施形態では、有線接続であっても無線接続であっても適用できる。これにより、通信制御部１５０は、ユーザ端末１００を、ネットワーク４００を介して受託サーバ２００と接続することができる。
【００３６】
内部バス１６０は、処理回路１１０によってユーザ端末１００が統括制御されるように、各構成要素に接続されている。
【００３７】
次に、本発明の実施形態に係る受託サーバ２００の詳細な構成について説明する。図４は、本発明の実施形態に係る受託サーバ２００の構成を示したものであり、図４（ａ）では、ハードウエア構成を示し、図４（ｂ）では、処理回路２１０の機能ブロック図を示したものである。
【００３８】
図４（ａ）に示すように、受託サーバ２００は、処理回路２１０、記憶回路２２０、入力回路２３０、ディスプレイ２４０、通信制御部２５０、及び内部バス２６０を備えている。
【００３９】
記憶回路２２０は、ＲＯＭ、ＲＡＭ及びＨＤＤ等を含む記憶装置により構成されている。記憶回路２２０は、ＩＰＬ、ＢＩＯＳ及びデータを記憶したり、処理回路２１０のワークメモリとして使用されたり、又は、データを一時的に記憶する場合に用いられる。ＨＤＤは、受託サーバ２００にインストールされたプログラム（アプリケーションプログラムの他、ＯＳ等も含まれる）やデータを記憶する記憶装置である。また、オペレータに対するディスプレイ２４０への情報の表示にグラフィックを多用し、基礎的な操作を入力回路２３０によって行なうことができるＧＵＩ（Graphical User Interface）を、ＯＳに提供することもできる。
【００４０】
処理回路２１０は、プログラムをメモリ（記憶回路２２０）から読み出し、実行することにより、プログラムに対応する機能を実現するプロセッサである。具体的には、処理回路２１０（プロセッサ）は、読み出したプログラムを実行することによって、図４（ｂ）に示す、閲覧受付部２１１、ポイント付与部２１３、合計ポイント算出部２１５及び表示制御部２１７を実現する。
【００４１】
処理回路２１０の閲覧受付部２１１は、ネットワーク４００を介してユーザ端末１００から、保健事業に関するサイトの閲覧要求を受け付ける。処理回路２１０のポイント付与部２１３は、ユーザ端末１００により保健事業に関するサイトが閲覧され、そのサイトを利用した健康保険組合員（ユーザ）に関連付けられたＩＤ（ユーザ識別情報）に、ポイントを付与する。処理回路２１０の合計ポイント算出部２１５は、付与されたポイントに基づいて、ＩＤごとに合計ポイントを算出する。処理回路２１０の表示制御部２１７は、ＩＤごとの合計ポイントを、そのユーザ端末１００に表示させる。また、処理回路２１０の表示制御部２１７は、保健事業の事業費に対し、広告による収入の一部が割り当てられる旨を、ユーザ端末１００に表示する。
【００４２】
なお、閲覧受付部２１１、ポイント付与部２１３及び表示制御部２１７は、後述する通信制御部２５０と連携し、健康保険組合のサイトの閲覧要求、サイトの表示及びデータの入力を実現する。
【００４３】
入力回路２３０は、オペレータによって操作が可能なポインティングデバイス（マウスなど）やキーボードなどの入力デバイスからの信号を入力する回路であり、ここでは入力デバイス自体も入力回路２３０に含まれるものとする。この場合、操作に従った入力信号が、入力回路２３０から処理回路２１０に送られる。
【００４４】
ディスプレイ２４０は、液晶ディスプレイやＣＲＴ（Cathode Ray Tube）等によって構成される。ディスプレイ２４０は、ユーザ端末１００に表示される健康保険組合のサイトを表示することができる。
【００４５】
通信制御部２５０は、通信規格に応じた通信制御を行ない、例えば、ＩＥＥＥ８０２．１１シリーズに準拠した無線ＬＡＮ（Local Area Network）、近距離無線通信又は電話回線等を通じて、受託サーバ２００を、ネットワーク４００に接続する機能を有している。また、例えば、ＲＳ−２３２ＣやＲＳ−４２２Ａなどの通信規格や、ＵＳＢ（Universal Serial Bus）などの標準化された通信プロトコルも用いることができ、本実施形態では、有線接続であっても無線接続であっても適用できる。これにより、通信制御部２５０は、受託サーバ２００を、ネットワーク４００を介してユーザ端末１００や広告主サーバ３００と接続することができる。
【００４６】
内部バス２６０は、処理回路２１０によって受託サーバ２００が統括制御されるように、各構成要素に接続されている。
【００４７】
本発明の実施形態は、ユーザ端末１００により保健事業に関するサイトが閲覧され、受託サーバ２００が、そのユーザ端末１００を利用した健康保険組合員に関連付けられたＩＤにポイントを付与するようになっている。以下、本発明の実施形態として、ポイントを付与する態様について説明する。
【００４８】
なお、本発明の実施形態では、インセンティブポイントのことをポイントといい、受託サーバ２００がユーザ端末１００を利用する健康保険組合員のＩＤにポイントを付与して、そのポイントに応じて商品と交換するサービスを提供するようになっている。
【００４９】
図５は、本発明の実施形態に係る受託サーバ２００が、ユーザ端末１００を有する健康保険組合員に、ポイントを付与する項目を示したポイント対象項目を示したものである。
【００５０】
図５に示すように、この健康保険組合では、ユーザ端末１００を有する健康保険組合員に、４つの具体例を示しており、「ウォーキングキャンペーン」、「禁煙チャレンジ」、「健康診断受診」及び「生活習慣改善」の項目について、ポイントを付与するようになっている。また、これらのポイント付与の対象は、「被保険者」が対象となっている。ここでは、「ウォーキングキャンペーン」を例に挙げて説明する。
【００５１】
（インセンティブ付与還元処理）
本発明の実施形態に係るインセンティブ付与還元システム５００において、受託サーバ２００が、ＩＤに対してポイントを付与し、保健事業の事業費に対し、広告による収入の一部が割り当てられる旨を、ユーザ端末１００に表示する処理について、図６に示すフローチャートを用いて説明する。
【００５２】
図６は、本発明の実施形態に係る受託サーバ２００が、健康保険組合員が「ウォーキングキャンペーン」に参加したことにより、健康保険組合員に関連づけられたＩＤにポイントを付与し、広告による収入の一部が割り当てられる旨を、ユーザ端末１００に表示する処理を示したフローチャートである。
【００５３】
まず、本発明の実施形態に係る受託サーバ２００の処理回路２１０の閲覧受付部２１１は、ネットワーク４００を介してユーザ端末１００から、保健事業に関するサイトの閲覧要求を受け付ける（ステップＳ００１）。処理回路２１０の閲覧受付部２１１は、ユーザ端末１００が保健事業に関するサイトにログインしていない場合は、ＩＤとＰＷとにより閲覧要求を許可する。
【００５４】
次に、処理回路２１０のポイント付与部２１３は、ユーザ端末１００により保健事業に関するサイトが閲覧され、そのユーザ端末１００を利用した健康保険組合員に関連付けられたＩＤにポイントを付与する（ステップＳ００３）。
【００５５】
図７は、本発明の実施形態のユーザ端末１００が、ネットワーク４００を介して受託サーバ２００にデータを入力し（図２のシーケンスＳＴ００９参照）、ユーザ端末１００の健康保険組合員に健康保険組合からポイントが付与されることを示した説明図である。図７では、ユーザ端末１００を有する健康保険組合員のＸ氏が、「ウォーキングキャンペーン」に参加して、１日当たりの平均歩数を入力した結果を示したものである。
【００５６】
図７（ａ）では、平成２９年１月度から１２月度までの１日当たりの平均歩数が入力されており、歩数に応じてポイントが付与されている。この健康保険組合では、１０歩により１ポイント付与することとしており、１月度は、「８，０５０」歩により、「８０５」ポイント付与され、２月度は、「８，１００」歩により、「８１０」ポイント付与され、３月度は、「８，２００」歩により、「８２０」ポイント付与されている。
【００５７】
４月度は、「８，２５０」歩により、「８２５」ポイント付与され、５月度は、「８，１５０」歩により、「８２５」ポイント付与され、６月度は、「８，３５０」歩により「８３５」ポイント付与され、７月度は、「８，４００」歩により、「８４０」ポイント付与され、８月度は、「８，５００」歩により、「８５０」ポイント付与されている。
【００５８】
９月度は、「８，３００」歩により、「８３０」ポイント付与され、１０月度は、「８，５００」歩により、「８５０」ポイント付与され、１１月度は、「８，６００」歩により、「８６０」ポイント付与され、１２月度は、「８，７００」歩により、「８７０」ポイント付与されている。
【００５９】
また、処理回路２１０の合計ポイント算出部２１５は、付与されたポイントに基づいて、ＩＤごとに合計ポイントを算出するようになっており（図６のステップＳ００５）、処理回路２１０の表示制御部２１７は、ＩＤごとの合計ポイントを、そのユーザ端末１００に表示させる（ステップＳ００７）。
【００６０】
このユーザ端末１００を有するＸ氏は、図７（ａ）に示すように、合計ポイントとして、「１０，０１０」ポイントを獲得したことを示している。さらに獲得したポイントで商品に交換可能となっており、「スポーツドリンク」、「体重計」、「万歩計（登録商標）」が、選択可能な商品として表示されている。
【００６１】
一方、図７（ｂ）では、Ｘ氏の１日当たりの平均歩数と、健康保険組合で「ウォーキングキャンペーン」に参加している参加者の１日当たりの平均歩数を示しており、「ウォーキングキャンペーン」に参加している参加者の１日当たりの平均歩数は、Ｘ氏の１日当たりの平均歩数よりも高いことを示している。
【００６２】
この場合、処理回路２１０の合計ポイント算出部２１５は、複数のＩＤの合計ポイントに基づいて、ＩＤの平均合計ポイントを算出し、処理回路２１０の表示制御部２１７は、ＩＤごとの合計ポイントと、平均合計ポイントとを対比して、視覚可能にユーザ端末１００のディスプレイ１４０に表示する。
【００６３】
ユーザ端末１００を有するＸ氏は、図７（ａ）の選択可能な商品において、獲得した合計ポイントを商品に交換する交換ボタンＥＸを、入力回路１３０を用いて押下すると、受託サーバ２００の処理回路２１０の表示制御部２１７は、商品交換画面を表示する。
【００６４】
図８は、本発明の実施形態の受託サーバ２００の処理回路２１０の表示制御部２１７が、ユーザ端末１００のディスプレイ１４０に、商品の交換を選択する画面を示すとともに、保健事業の表示と、広告の表示と、広告による収入の一部が割り当てられる旨の表示が、ユーザ端末１００のディスプレイ１４０に表示された表示画面例である。
【００６５】
図８に示すように、本発明の実施形態では、ユーザ端末１００のディスプレイ１４０には、Ｘ氏が加入する「Ｓ健康保険組合」が表示されており、左側には、Ｘ氏の保有ポイント、各種申請、個人情報などの項目が設けられている。
【００６６】
ユーザ端末１００のディスプレイ１４０の中央の上段には、商品の交換を示す項目ＰＤが表示されており、「スポーツドリンク」、「体重計」、「万歩計」に保有ポイントを交換できる旨が、ボタン表示されている。また、ディスプレイ１４０の中央の中段には、通知ＩＦの欄が設けられており、「広告収入の一部が保健事業に適用されている」と表示され、保健事業の事業費に対し、広告による収入の一部が割り当てられる旨が表示されている。また、ディスプレイ１４０の中央の下段には、保健事業に関する項目ＨＳが表示され、「出産」、「高額医療費」、「けが、病気」、「加入希望」、「退職時」、「紛失時」などの項目が示されている。
【００６７】
ユーザ端末１００のディスプレイ１４０の右端には、広告欄ＡＤが設けられており、サイトバナーとして、広告Ａ、広告Ｂ、広告Ｃなどが表示されている。広告Ａは、例えば、介護サービスの広告であり、広告Ｂは、サプリメントの広告であり、広告Ｃは、飲食物の広告である。
【００６８】
以上のような、本発明の実施形態に係るインセンティブ付与還元システム５００では、受託サーバ２００の処理回路２１０の閲覧受付部２１１は、ネットワーク４００を介してユーザ端末１００から、保健事業に関するサイトの閲覧要求を受け付ける。
【００６９】
処理回路２１０のポイント付与部２１３は、ユーザ端末１００によりにより保健事業に関するサイトが閲覧され、そのサイトを利用した健康保険組合員に関連付けられたＩＤにポイントを付与する。処理回路２１０の合計ポイント算出部２１５は、付与されたポイントに基づいて、ＩＤごとに合計ポイントを算出する。処理回路２１０の表示制御部２１７は、ＩＤごとの合計ポイントを、そのユーザ端末１００に表示する。
【００７０】
これにより、本発明の実施形態によれば、インセンティブ付与還元システム５００は、被保険者に対し、健康管理の意識を向上させることができる。
【００７１】
また、受託サーバ２００は、ユーザ端末１００のディスプレイ１４０に、保健事業の事業費に対し、広告による収入の一部が割り当てられる旨を表示することができる。そして、インセンティブ付与還元システム５００では、ユーザ端末１００を有する健康保険組合員に対し、ポイントが付与されるとともに、保健事業の事業費に対し、広告による収入の一部が割り当てられる旨の表示をすることができるので、より一層、被保険者である健康保険組合員に対し、健康管理の意識を向上させることができる。
【００７２】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００７３】
例えば、本発明の実施形態では、図２において、健康保険組合員は、健康保険組合員を特定するＩＤとＰＷを用いて、健康保険組合のサイトにログインするようになっていた。ＩＤとＰＷは、健康保険組合員を特定するものであり、また、受託サーバ２００は、複数の健康保険組合を取扱うことができる。また、健康保険組合は、加入する人数の規模や、業種による男女比率が異なることも想定される。
【００７４】
そこで、受託サーバ２００は、健康保険組合員が加入する健康保険組合ごとに、異なる還元率をポイントとして付与するようにしてもよい。例えば、図６のウォーキングキャンペーンでは、１０歩により１ポイント付与するようになっていたが、他の健康保険組合に対しては、１歩により１ポイントに付与するようにしてもよい。
【００７５】
また、例えば、本実施形態では、ユーザ端末１００のディスプレイ１４０の通知ＩＦの欄に、「広告による収入の一部が割り当てられる」旨を、表示するようになっていたが、これに限定されるものではない。処理回路２１０の表示制御部２１７は、通知ＩＦの欄に、「広告による収入の一部により、受託サーバ２００の企業への委託料が減額される」旨を、ユーザ端末１００のディスプレイ１４０に表示するようにしてもよい。すなわち、広告による収入により、一部の費用が還元される旨を特定し、具体的に還元される費用を明記するようにしてもよい。
【００７６】
また、本発明の実施形態では、図５のポイント対象項目において、「ウォーキングキャンペーン」に、健康保険組合員の「Ｘ」氏が参加した場合について説明したが、これに限定されるものではない。受託サーバ２００の処理回路２１０のポイント付与部２１３は、ユーザ端末１００にポイントを付与する対象を、図５の「健康診断受診」や「生活習慣改善」に基づいて、ポイントを付与するようにしてもよい。
【００７７】
この場合、保健事業の受診情報の一例として、健康診断受診、誕生月受診、配偶者受診、特定保健指導の受診などを対象とすることができ、１回の受診につき、例えば、３００ポイントを付与することができる。また、生活習慣改善については、健診の結果、受診者の改善度に応じてポイントを付与することができ、また、健康手帳に目標を設定し、その目標を達成した達成者にポイントを付与することもできる。
【００７８】
同様に、受託サーバ２００の処理回路２１０のポイント付与部２１３は、ユーザ端末１００にポイントを付与する対象が、「ウォーキングキャンペーン」であったが、これに限定されるものではない。「ウォーキングキャンペーン」は、参加者の歩数に関する情報に対して、ポイントを付与するものであったが、例えば、禁煙に関する情報として、「禁煙チャレンジ」というキャンペーンを実施し、禁煙した本数に対して、任意にポイントを付与するようにしてもよい。
【００７９】
また、本発明の実施形態では、図８において、ユーザ端末１００のディスプレイ１４０の右端には、広告欄ＡＤに、広告Ａ、広告Ｂ、広告Ｃなどが表示されていた。本発明の実施形態では、広告欄ＡＤに、例えば、ユーザ端末１００を有する健康保険組合員（例えば、Ｘ氏）の健康状態を改善させる内容の広告であってもよく、ユーザ端末１００ごとの合計ポイントを適用可能な旨の表示を行うようにしてもよい。具体的には、広告Ａには、「鍼灸、按摩、マッサージ」を行う治療院の広告であって、Ｘ氏が保有する保有ポイントのうち、その「マッサージ」に「５，０００」ポイント使用可能などと表示するようにしてもよい。
【００８０】
また、受託サーバ２００の処理回路２１０のポイント付与部２１３は、広告欄ＡＤにおいて特定の広告が選択されるか、又は、特定の保健事業に関するサイトが閲覧されることにより、付与するポイントの比率を変更するようにしてもよい。
【００８１】
これにより、付与されるポイントを増加させることができるので、健康保険組合員は、交換する商品の選択肢を広げることができる。また、付与するポイントの比率を変更することに限定されず、特定の広告が選択されるか、又は、特定の保健事業に関するサイトが閲覧されることにより、健康保険組合員が選択可能な商品のグレードを上げるようしてもよい。
【００８２】
また、本発明の実施形態では、例えば、図８において、サイドバナーによる広告欄ＡＤにおいて、広告Ａ、広告Ｂ、広告Ｃを表示していたが、広告は、これらに限定されるものではない。例えば、電子メールを使って健康保険組合員が有するユーザ端末１００に広告を送信することも含まれ、また、紙媒体による広告も含まれる。
【００８３】
また、本発明の実施形態では、健康保険組合は、健康保険組合員の登録者を確保するため、例えば、「スポーツクラブ」と提携し、「スポーツクラブ」の入会特典チケットは、健康保険組合のサイトに入らないと入会できないように、受託サーバ２００に設定してもよい。この場合、例えば、「スポーツクラブ」の入会金は、通常「１万円」程度発生するので、ポイントとして「１万円分」付与し、金券として利用できる「サウナクーポン」や、リラクゼーションとして利用できる「足裏マッサージクーポン」などを、さらに追加して発行することができる。
【符号の説明】
【００８４】
１００    ユーザ端末                        １０１    ユーザ端末
１１０    処理回路                        １１１    閲覧要求送出部
１１３    許可受付部                      １２０    記憶回路
１３０    入力回路                        １４０    ディスプレイ
１５０    通信制御部                      １６０    内部バス
２００    受託サーバ                      ２１０    処理回路
２１１    閲覧受付部                      ２１３    ポイント付与部
２１５    合計ポイント算出部              ２１７    表示制御部
２２０    記憶回路                        ２３０    入力回路
２４０    ディスプレイ                    ２５０    通信制御部
２６０    内部バス                        ３００    広告主サーバ
３０１    広告主サーバ                    ４００    ネットワーク
５００    インセンティブ付与還元システム
【図１】
2019066945.tif 000003
【図２】
2019066945.tif 000004
【図３】
2019066945.tif 000005
【図４】
2019066945.tif 000006
【図５】
2019066945.tif 000007
【図６】
2019066945.tif 000008
【図７】
2019066945.tif 000009
【図８】
2019066945.tif 000010